(57)【要約】【課題】ボウルを洗浄する洗浄水への液体薬剤の投入量を自在に調整することができる便器装置を提案する。【解決手段】本発明の便器装置は、洗浄水流路２と、貯液部６と、これらを連通する筒部５と、貯液部６の液体薬剤を洗浄水流路２に搬送する搬送部３と、制御部４と、を備える。制御部４は、搬送部３の第一水密部材３０と第二水密部材３１との間の距離を調整して、この間に保持空間３２を形成し、この保持空間３２に貯液部６から供給された液体薬剤を保持した状態で、第一水密部材３０及び第二水密部材３１を貯液部６から洗浄水流路２に向けて移動させ、保持空間３２を洗浄水流路２に連通させることで、洗浄水に液体薬剤を混合させる。【選択図】図１
2014031651.tif 000002
【特許請求の範囲】
【請求項１】
ボウルを洗浄する洗浄水に液体薬剤を混合して洗浄を行う便器装置であって、
前記ボウルに供給される前記洗浄水が流れる洗浄水流路と、
前記液体薬剤が溜められる貯液部と、
前記洗浄水流路と前記貯液部とを連通する筒部と、
この筒部を介して前記洗浄水流路と前記貯液部の間で移動して、前記貯液部の前記液体薬剤を前記洗浄水流路に搬送する搬送部と、
この搬送部の移動を制御する制御部と、を備え、
前記搬送部は、
前記筒部を介して前記洗浄水流路と前記貯液部の間で独立して移動自在に配される第一水密部材及び第二水密部材を有し、
前記制御部は、
前記第一水密部材と前記第二水密部材との間の距離を調整して、前記第一水密部材と前記第二水密部材との間に前記液体薬剤が保持される保持空間を形成し、この保持空間に前記貯液部から供給された前記液体薬剤を保持した状態で、前記第一水密部材及び前記第二水密部材を前記貯液部から前記洗浄水流路に向けて移動させ、前記保持空間を前記洗浄水流路に連通させることで、前記洗浄水に前記液体薬剤を混合させることを特徴とする便器装置。
【請求項２】
前記制御部は、
前記第一水密部材及び前記第二水密部材を前記洗浄水流路から前記貯液部に向けて移動させる際に、前記第一水密部材と前記第二水密部材とを近付けた状態で移動させることを特徴とする請求項１に記載の便器装置。
【発明の詳細な説明】
【技術分野】
【０００１】
本発明は、ボウルを洗浄する洗浄水に液体薬剤を混合して洗浄を行う便器装置に関する。
【背景技術】
【０００２】
特許文献１には、ボウル部を洗浄する洗浄水に液体薬剤を混合して洗浄を行う水洗便器が開示されている。
【０００３】
この水洗便器では、ボウル部内に吐出される洗浄水が流れる洗浄水流路に、経路径を絞った小径部を設け、この小径部に液体薬剤供給のための経路を連通させている。これにより、小径部に流れ込む洗浄水によって発生する負圧を利用して、経路を介して液体薬剤を吸引させ、洗浄水に液体薬剤を混入させることができる。
【先行技術文献】
【特許文献】
【０００４】
【特許文献１】特開２００８−１６３７４２号公報
【発明の概要】
【発明が解決しようとする課題】
【０００５】
しかし、特許文献１の水洗便器のように、洗浄水流路を流れる洗浄水によって発生する負圧を利用して液体洗剤を洗浄水に混入させる場合、洗浄水への液体薬剤の投入量が安定しないおそれがある。
【０００６】
そこで、上記事情を鑑みて、本発明は、ボウルを洗浄する洗浄水への液体薬剤の投入量を自在に調整することができる便器装置を提案することを課題とする。
【課題を解決するための手段】
【０００７】
上記課題を解決するために本発明の便器装置は、ボウルを洗浄する洗浄水に液体薬剤を混合して洗浄を行う便器装置であって、前記ボウルに供給される前記洗浄水が流れる洗浄水流路と、前記液体薬剤が溜められる貯液部と、前記洗浄水流路と前記貯液部とを連通する筒部と、この筒部を介して前記洗浄水流路と前記貯液部の間で移動して、前記貯液部の前記液体薬剤を前記洗浄水流路に搬送する搬送部と、この搬送部の移動を制御する制御部と、を備え、前記搬送部は、前記筒部を介して前記洗浄水流路と前記貯液部の間で独立して移動自在に配される第一水密部材及び第二水密部材を有し、前記制御部は、前記第一水密部材と前記第二水密部材との間の距離を調整して、前記第一水密部材と前記第二水密部材との間に前記液体薬剤が保持される保持空間を形成し、この保持空間に前記貯液部から供給された前記液体薬剤を保持した状態で、前記第一水密部材及び前記第二水密部材を前記貯液部から前記洗浄水流路に向けて移動させ、前記保持空間を前記洗浄水流路に連通させることで、前記洗浄水に前記液体薬剤を混合させることを特徴とする。
【０００８】
また、前記制御部は、前記第一水密部材及び前記第二水密部材を前記洗浄水流路から前記貯液部に向けて移動させる際に、前記第一水密部材と前記第二水密部材とを近付けた状態で移動させることが好ましい。
【発明の効果】
【０００９】
本発明の便器装置では、制御部によって第一水密部材と第二水密部材との間の距離、つまりは液体薬剤が保持される保持空間の広さを自在に調整することができる。そして、所定の広さに調整した保持空間に液体洗剤を保持した状態で、この保持空間を洗浄水が流れる洗浄水流路に連通させることができる。これにより、本発明の便器装置では、ボウルを洗浄する洗浄水への液体薬剤の投入量を自在に調整することができる。
【図面の簡単な説明】
【００１０】
【図１】本発明の実施形態の便器装置の洗浄水吐出装置を示し、（ａ）は斜視図であり、（b）は断面図である。
【図２】同上の便器装置全体の断面図である。
【図３】（ａ）〜（ｄ）は同上の洗浄水吐出装置の搬送部の動作を示す断面図である。
【図４】同上の洗浄水吐出装置の搬送部の他の動作例を示す断面図である。
【発明を実施するための形態】
【００１１】
以下、本発明を添付図面に示す実施形態に基づいて説明する。
【００１２】
図２は本実施形態の便器装置１の一例であり、合成樹脂性の便器本体１０で主体を構成してある。
【００１３】
便器本体１０のボウル１１の下部には、後方に向けて排水筒部１２を突設してあり、この排水筒部１２からはトラップ９を介してボウル１１内の溜水を排水できるようになっている。トラップ９は、その下流端部が上を向く封水状態（図２に示す状態）と下を向く排水状態とを選択できるターントラップ方式のものである。なお、トラップ９は、その下流端部が上を向く封水状態で固定された方式のものであってもかまわない。
【００１４】
便器本体１０の後部には、機器収納部１４が設けられている。機器収納部１４は、仕切り部１３によって上部空間１４ａと下部空間１４ｂとに分かれている。この上部空間１４ａに、ボウル１１に洗浄水を供給する洗浄水吐出装置１００が設けられている。
【００１５】
図１（ａ）に示す洗浄水吐出装置１００は、洗浄水が流れる洗浄水流路２と、洗浄水流路２への洗浄水供給手段と、洗浄水への空気混入手段と、洗浄水への薬剤供給手段と、洗浄水流路２を流れる洗浄水が吐出される吐出口２０とを備えている。吐出口２０からは、洗浄水に気泡を混入した気泡混合洗浄水、または、気泡混合洗浄水に液体薬剤を混入した薬剤気泡混合洗浄水のいずれかを選択的にボウル１１の内面に吐出して、これによりボウル１１の内面を洗浄する。
【００１６】
洗浄水供給手段は、図２に示すように、例えば、洗浄水流路２の上流に直結される水道管と、この水道管に設けた電磁弁からなる給水制御弁１６とを備える。この給水制御弁１６は、ボウル１１への洗浄水の吐出動作時に開くように制御される。洗浄水流路２に洗浄水を供給する手段としては水道圧を利用する。洗浄水流路２の下流端となる吐出口２０は、ボウル１１の上端部後方に配設されて、ボウル１１内に臨ませて設けられる。
【００１７】
洗浄水流路２は、図１（ｂ）に示すように、下流側ほど流路径が徐々に小さくなる先細形状のノズル管２１と、ノズル管２１の先端部（下流端部）が挿入される横管状のエジェクタ管２２と、吐出口２０と、を備えている。エジェクタ管２２は、下流側ほど流路径が徐々に小さくなった上流側大径部２３と、経路径を絞った小径部２４と、下流側ほど流路径が徐々に大きくなった下流側大径部２５とが、上流側から下流側に向かってこの順に形成されている。この上流側大径部２３の流路部分が空気混入部２３ａとなっており、この小径部２４の流路部分が薬剤混入部２４ａとなっており、小径部２４から下流側大径部２５に至る流路部分が気泡発生部２５ａとなっている。気泡発生部２５ａでは、上流から流れてきた気泡混合洗浄水、あるいは薬剤気泡混合洗浄水を加圧・減圧して圧力を変化させることで、洗浄水に含まれる気泡を剪断して微小化する。なお、エジェクタ管２２の下流側には、洗浄水の気泡をさらに細分化する気泡細分化手段として気泡を剪断するメッシュで構成した整流板５０が設けてある。
【００１８】
空気混入手段は、洗浄水流路２の空気混入部２３ａに外部から空気を供給するためのものである。空気混入手段は、一端が外気に開放され、他端が空気混入部２３ａ内に開放された空気供給路２６と、この空気供給路２６の途中に設けられた吸気弁１７（図２参照）と、を備えている。ノズル管２１の先端（下流端）からエジェクタ管２２内に流れ込む洗浄水によって空気混入部２３ａ内には負圧が発生する。このエジェクタ効果によって吸気弁１７が開弁して外部からの空気が空気供給路２６を介して洗浄水中に吸引混入され、洗浄水に空気が混入した気泡混合洗浄水が生成される。本実施形態では、空気混入部２３ａはノズル管２１の先端部よりも大径に形成してあり、これにより空気混入部２３ａは、ノズル管２１の先端部近傍において洗浄水の流れによって負圧発生部となっている。
【００１９】
また、洗浄水吐出装置１００は、液体薬剤が溜められる貯液部６と、この貯液部６と洗浄水流路２とを連通する筒部５と、を備えている。液体薬剤としては、例えば、界面活性剤を含む洗剤、あるいは芳香剤などの水溶液が挙げられる。本実施形態では、この貯液部６の他に、液体薬剤を溜める薬剤タンク５３と、薬剤タンク５３と貯液部６を繋ぐ循環経路５１と、薬剤タンク５３と貯液部６の間で液体薬剤を循環させるポンプ５２と、を備えている（図２参照）。薬剤タンク５３は、便器本体１０の外面部分に設けたカバー（図示せず）を取り外すことで、便器本体１０の外部へと取り外すことができ、液体薬剤を補充可能である。なお、薬剤タンク５３、循環経路５１、ポンプ５２は備えなくてもよい。
【００２０】
貯液部６は、図１（ａ）に示すように、円筒状に形成されている。貯液部６の下端には、同じく円筒状の筒部５の上端が一体に接続されている。筒部５は、その内径が貯液部６の内径よりも小さく形成されている。筒部５の下端は、図１（ｂ）に示すように、エジェクタ管２２の小径部２４に接続されて、洗浄水流路２の薬剤混入部２４ａに臨ませている。
【００２１】
洗浄水吐出装置１００は、さらに、貯液部６と筒部５と洗浄水流路２の間で移動して、貯液部６の液体薬剤を洗浄水流路２に搬送する搬送部３と、この搬送部３の移動を制御する制御部４と、を備えている。
【００２２】
搬送部３は、図１（ａ）及び図１（ｂ）に示すように、円柱状の第一水密部材３０と、その上方に配される円柱状の第二水密部材３１と、を有する。第一水密部材３０及び第二水密部材３１は、貯液部６と筒部５と洗浄水流路２の間で移動自在に配される。この第一水密部材３０及び第二水密部材３１が、制御部４によって互いに独立して移動制御される。互いに離して配置された第一水密部材３０と第二水密部材３１との間に、貯液部６から供給された液体薬剤が保持される保持空間３２が形成される。
【００２３】
円柱状の第一水密部材３０及び第二水密部材３１は、弾性変形可能なゴム等の材料で形成され、筒部５と略同心に配置され、外周が筒部５の内面に密着するように設けられる。つまり、第一水密部材３０及び第二水密部材３１はそれぞれ、筒部５を水密に閉鎖可能に設けられている。
【００２４】
第一水密部材３０を上下移動させるための構成は、従来周知の技術が適用可能である。また同様に、第二水密部材３１を上下移動させるための構成も、従来周知の技術が適用可能である。一例として、本実施形態では、第一水密部材３０の円心部と、第二水密部材３１の円心部に軸３３が上下方向に貫通している。軸３３は、筒状の外軸の内側に筒状の中軸が配置された二重構造となっており、中軸の下端に第一水密部材３０の円心部が固定され、外軸の下端部に第二水密部材３１の円心部が固定されている。外軸と中軸とは、径方向に略隙間がなく、互いに摺動自在となっている。外軸と中軸とをそれぞれ制御部４に備わるモータ等によって上下移動させることで、第一水密部材３０と第二水密部材３１とはそれぞれ独立して移動制御される。
【００２５】
続いて、制御部４によって移動制御される搬送部３の動作について説明する。図３（ａ）〜図３（ｄ）には、搬送部３によって貯液部６の液体薬剤を洗浄水流路２に搬送する動作手順が示されている。
【００２６】
まず、制御部４は、図３（ａ）に示すように、第一水密部材３０と第二水密部材３１とを所定の距離離した状態で、第一水密部材３０を筒部５内に配置させ、第二水密部材３１を貯液部６内に配置させる。これにより、第一水密部材３０と第二水密部材３１の間の保持空間３２が貯液部６と連通して、保持空間３２に貯液部６の液体薬剤が供給される。このとき、第一水密部材３０によって筒部５は水密に閉鎖され、貯液部６と洗浄水流路２とは非連通状態とされる。なお、図３（ａ）では、第一水密部材３０を筒部５の上端に配置して保持空間３２に貯液部６の液体薬剤を供給しているが、これに限定されない。つまり、第一水密部材３０を筒部５内に配置させ、保持空間３２と貯液部６とを連通状態にすれば、保持空間３２には貯液部６の液体薬剤を供給することができる。
【００２７】
次に、制御部４は、図３（ｂ）に示すように、第一水密部材３０と第二水密部材３１とを所定の距離離した状態を維持しながら、洗浄水流路２に向けて下方に移動させる。このとき、第一水密部材３０と第二水密部材３１のうち少なくとも一方が常に筒部５内に位置して、筒部５は水密に閉鎖され、貯液部６と洗浄水流路２とは非連通状態とされる。
【００２８】
次に、制御部４は、図３（ｃ）に示すように、第一水密部材３０と第二水密部材３１とを所定の距離離した状態を維持しながら、第一水密部材３０を小径部２４における洗浄水流路２の下端に接触させる。このとき、洗浄水流路２に連通する保持空間３２に保持された液体薬剤が、洗浄水流路２を流れる洗浄水に混入する。第一水密部材３０が洗浄水流路２の下端に接触した状態で、第二水密部材３１は少なくとも一部が筒部５内に位置する。これにより、筒部５は水密に閉鎖され、貯液部６と洗浄水流路２とは非連通状態とされる。
【００２９】
次に、制御部４は、図３（ｄ）に示すように、第一水密部材３０を貯液部６に向けて上方に移動させ、この第一水密部材３０を第二水密部材３１に近付けて接触させて、第一水密部材３０と第二水密部材３１との間の隙間を埋める。そして、この状態で、制御部４は、第一水密部材３０及び第二水密部材３１を貯液部６に向けて上方に移動させる。このようにすることで、第一水密部材３０と第二水密部材３１との間への洗浄水の浸入を防止でき、この隙間に浸入した洗浄水によって貯液部６に溜められた液体薬剤の濃度が薄くなることを抑制できる。
【００３０】
以上のように、本実施形態の便器装置１では、制御部４によって第一水密部材３０と第二水密部材３１との間の距離、つまりは液体薬剤が保持される保持空間３２の広さを自在に調整することができる。そして、所定の広さに調整した保持空間３２に液体洗剤を保持した状態で、この保持空間３２を洗浄水が流れる洗浄水流路２に連通させることができる。これにより、本実施形態の便器装置１では、ボウル１１を洗浄する洗浄水への液体薬剤の投入量を自在に調整することができる。
【００３１】
なお、図４（ａ）及び図４（ｂ）には、図３（ａ）〜図３（ｄ）に示す実施形態よりも保持空間３２を広く採った場合の搬送部３の動作例を示している。保持空間３２は、貯液部６と洗浄水流路２の両方に同時に連通しない範囲で、広く採ることが可能である。保持空間３２が採ることのできる広さは、筒部５と第一水密部材３０と第二水密部材３１の上下寸法等に応じて適宜設定可能である。
【００３２】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００３３】
１      便器装置
２      洗浄水流路
３      搬送部
４      制御部
５      筒部
６      貯液部
１１    ボウル
３０    第一水密部材
３１    第二水密部材
３２    保持空間
【図１】
2014031651.tif 000003
【図２】
2014031651.tif 000004
【図３】
2014031651.tif 000005
【図４】
2014031651.tif 000006